(57)【要約】【課題】一度の入力操作により患者のＩＤデータの共有化を図ることができる手術機器コントローラ及びそれを用いた手術システムを提供する。【解決手段】管理コンピュータ１１８はＡＶ機器システム１１０内のＡＶコントローラ１２０に接続され、患者のＩＤデータを含む手術スケジュールデータを記憶している。システムコントローラ２２は、内視鏡システム３及びＡＶ機器システム１１０のいずれかの機器のＩＤ入力手段によって患者のＩＤデータが入力されたときに、この入力したＩＤデータと、管理コンピュータ１１８と通信を行うことにより取得した管理コンピュータ１１８に記憶したＩＤデータとを比較し、一致したら前記ＩＤデータをＡＶコントローラ１２０に送信するように制御する。【選択図】図２
2007068561.tif 000002
【特許請求の範囲】
【請求項１】
医療機器、及びこの医療機器とは異なり、患者の患者ＩＤが入力可能な第１のＩＤ入力手段を有する医療機器を含む第１の機器群を制御する第１のコントローラと、
視聴覚機器、及びこの視聴覚機器とは異なり、患者のＩＤが入力可能な第２のＩＤ入力手段を有する視聴覚機器を含む第２の機器群を制御する第２のコントローラと、
前記患者ＩＤを含む患者データを記憶した管理コンピュータと、
を具備し、
前記第１のコントローラは、前記第１のＩＤ入力手段及び前記第２のＩＤ入力手段のいずれかに前記患者ＩＤが入力されたときに、この入力された患者ＩＤと、前記管理コンピュータと通信を行うことにより取得した前記管理コンピュータの患者ＩＤとを比較し、前記入力された患者ＩＤと前記管理コンピュータの患者ＩＤとが一致した場合に、前記第１のＩＤ入力手段及び前記第２のＩＤ入力手段のいずれかに入力された前記患者ＩＤを前記第２のコントローラに送信するように制御することを特徴とする手術システム。
【請求項２】
前記第１のコントローラは、前記患者ＩＤが前記第１のＩＤ入力手段を介して入力された場合には、前記管理コンピュータの患者ＩＤと一致した前記入力された患者ＩＤを前記第２のコントローラを介して前記第２の機器群の前記ＩＤ入力手段を有する視聴覚機器に送信するように制御し、前記患者ＩＤが前記第２のＩＤ入力手段を介して入力された場合には、前記管理コンピュータの患者ＩＤと一致した前記入力された患者ＩＤを、前記第１の機器群の前記ＩＤ入力手段を有する医療機器に送信するように制御することを特徴とする請求項１に記載の手術システム。
【請求項３】
前記第１のコントローラは、前記比較結果を告知するために出力することを特徴とする請求項１又は請求項２に記載の手術システム。
【請求項４】
前記第１のＩＤ入力手段は、前記患者ＩＤを記憶して前記患者の手足に装着されるリストバンドに記憶した前記患者ＩＤを読み込み、前記第１のコントローラに出力するリストバンドリーダであることを特徴とする請求項１乃至請求項３のいずれか１つに記載の手術システム。
【発明の詳細な説明】
【技術分野】
【０００１】
本発明は、内視鏡及び、この内視鏡とは異なる他の医療機器を制御するシステムコントローラを備えた手術システムに関する。
【背景技術】
【０００２】
近年、各種の医療機器は、医療技術の発展と共に豊富となり、その機能も充実傾向にある。各種医療機器は、電気メス装置、超音波吸引装置、レーザーメス等様々なものが用意されている。これらの医療機器は、単体で用いられる場合もあるが、複合した医療システムとして用いられる場合もある。
【０００３】
このような医療システムの中には、例えば、特開２００３−７６７８６号公報、特開２００３−７０７４８号公報等に提案されているように内視鏡及び、この内視鏡とは異なる他の医療機器を備えた内視鏡システムがある。  
前記従来の内視鏡システムは、医療機器同士が同一の通信インターフェイスや通信プロトコルを有している。このため、内視鏡システムは、通信部を介して各種医療機器を手術機器コントローラであるシステムコントローラにより集中制御を行っている。
【０００４】
また、各種医療機器には、通常、患者のＩＤデータ等を入力して記憶可能なＩＤ入力手段が設けられている。術者は、例えば手術時に、前記ＩＤ入力手段を用いて患者のＩＤデータの入力操作を行っている。 
【特許文献１】特開２００３−７６７８６号公報
【特許文献２】特開２００３−７０７４８号公報
【発明の開示】
【発明が解決しようとする課題】
【０００５】
一般に、患者のＩＤデータ等は、病院内に配置されたパソコンなどの各種機器によって様々な場面にて入力される。この場合、機器によっては患者のＩＤデータの他に、患者氏名や生年月日等の患者の詳細な患者データも入力される。例えば、病院内に配置された管理コンピュータには、手術予定の患者のＩＤデータ等の患者データを有する手術スケジュールデータが格納されている。  
このような患者のＩＤデータは、前記したように手術時には、術者によって特定の医療機器のＩＤ入力手段を用いて入力することが必要であり、このＩＤデータの入力操作により、手術する患者が実際に手術を行う予定の患者であるか否かの確認も行えるようになっている。また、患者のＩＤデータは、検査時、あるいはカルテ作成時などにも、各種機器によって入力する必要がある。
【０００６】
しかしながら、前記従来の内視鏡システムは、手術システムとして手術室に配置されて用いられるので、患者のＩＤデータの入力可能な医療機器を複数有している。このため、術者等はそれぞれの場面で対応する医療機器のＩＤ入力手段を用いてＩＤデータ等を入力しなければならず、煩雑である。したがって、前記従来の内視鏡システムは、患者のＩＤの共有化が望まれている。
【０００７】
また、手術室には、ルームライトやルームカメラ、ＬＣＤ（ Liquid Crystal Display），ＰＤＰ（ Plasma Display Panel ）等の表示装置、ＣＤ（ Compact Disc ）（登録商標），ＤＶＤ（ Digital Versatile Disc ）やＶＴＲ（ Video Tape Recorder ）、超音波画像等の参照画像格納サーバ等の視聴覚機器であるＡＶ（ Audio Visual ）機器が配置されている。
【０００８】
これらＡＶ機器は、非常に数多くの種類があり、中には患者のＩＤデータ等を入力し記憶可能な機器も複数有している。例えば、最近のＤＶＤやＶＴＲ等の機器は、患者のＩＤデータを画像と共に記録することができるものできるものもある。また、これらＡＶ機器は、専用のＡＶコントローラで制御されるようになっている。
【０００９】
このようなＡＶ機器及びＡＶコントローラを備えて構成されるシステムが、前記内視鏡システムに通信回線やネットワーク回線を介して接続されることも考えられる。  
しかしながら、前記従来の内視鏡システムは、このようなＡＶコントローラ等を有するシステムが接続された場合でも、患者のＩＤデータをそれぞれのＡＶ機器によって入力しなければならず煩雑であり、前記同様に患者のＩＤデータの共有化が望まれている。
【００１０】
本発明は、前記問題点に鑑みてなされたもので、一度の入力操作により患者のＩＤデータの共有化を図ることができる手術システムを提供することを目的とする。
【課題を解決するための手段】
【００１１】
本発明による手術システムは、医療機器、及びこの医療機器とは異なり、患者の患者ＩＤが入力可能な第１のＩＤ入力手段を有する医療機器を含む第１の機器群を制御する第１のコントローラと、視聴覚機器、及びこの視聴覚機器とは異なり、患者のＩＤが入力可能な第２のＩＤ入力手段を有する視聴覚機器を含む第２の機器群を制御する第２のコントローラと、前記患者ＩＤを含む患者データを記憶した管理コンピュータと、を具備し、前記第１のコントローラは、前記第１のＩＤ入力手段及び前記第２のＩＤ入力手段のいずれかに前記患者ＩＤが入力されたときに、この入力された患者ＩＤと、前記管理コンピュータと通信を行うことにより取得した前記管理コンピュータの患者ＩＤとを比較し、前記入力された患者ＩＤと前記管理コンピュータの患者ＩＤとが一致した場合に、前記第１のＩＤ入力手段及び前記第２のＩＤ入力手段のいずれかに入力された前記患者ＩＤを前記第２のコントローラに送信するように制御することを特徴とするものである。
【発明の効果】
【００１２】
本発明の手術システムは、一度の入力操作により患者のＩＤデータの共有化を図ることができるといった利点がある。
【発明を実施するための最良の形態】
【００１３】
以下、図面を参照して本発明の実施例を説明する。
【実施例１】
【００１４】
図１乃至図４は本発明の実施例１に係り、図１は実施例１の手術システムの全体構成図、図２は内視鏡システムとＡＶ機器システムとの接続関係を示すブロック図、図３はシステムコントローラによる制御例を示すフローチャート、図４は図３のシステムコントローラによる制御例の変形例を示すフローチャートである。
【００１５】
先ず、図１を用いて手術室２に配置される、内視鏡システム３の構成を説明する。  
図１に示すように、手術室２内には、患者が横たわる患者ベッド１０と、内視鏡システム３が配置される。この内視鏡システム３は、第１カート１１及び第２カート１２を有している。
【００１６】
第１カート１１には、被制御装置である医療機器として例えば電気メス装置１３、気腹装置１４、内視鏡用カメラ装置１５、光源装置１６及びビデオテープレコーダ（ＶＴＲ）１７等の装置類と、二酸化炭素等を充填したガスボンベ１８が載置されている。  
内視鏡用カメラ装置１５は、患者のＩＤデータを入力し記録可能なＩＤ入力手段（第１のＩＤ入力手段）を有しており、このＩＤ入力手段としてのキーボード１５Ａ（図２参照）により前記ＩＤデータが入力されるようになっている。この内視鏡用カメラ装置１５は、カメラケーブル３１ａを介して第１の内視鏡３１に接続される。光源装置１６は、ライトガイドケーブル３１ｂを介して第１の内視鏡３１に接続される。
【００１７】
また、第１カート１１には、表示装置１９、第１の集中表示パネル（以下、単に表示パネル）２０、操作パネル２１等が載置されている。表示装置１９は、内視鏡画像等を表示する、例えばＴＶモニタである。
【００１８】
表示パネル２０は、手術中のあらゆるデータを選択的に表示させることが可能な表示手段となっている。操作パネル２１は、例えば液晶ディスプレイ等の表示部とこの表示部上に一体的に設けられた例えばタッチセンサにより構成され、非滅菌域にいる看護師等が操作する集中操作装置になっている。なお、本実施例では、前記内視鏡用カメラ装置１５へのＩＤデータ入力操作に際し、キーボード１５Ａではなく前記操作パネル２１を用いてＩＤデータ入力操作を行うようにしても良い。
【００１９】
さらに、第１カート１１には、制御装置であり手術機器コントローラとしてのシステムコントローラ２２が載置されている。このシステムコントローラ２２には、上述の電気メス装置１３と気腹装置１４と内視鏡用カメラ装置１５と光源装置１６とＶＴＲ１７とが、図示しない通信線を介して接続されている。  
システムコントローラ２２には、ヘッドセット型のマイク３３が接続できるようになっており、システムコントローラ２２はマイク３３から入力された音声を認識し、術者の音声により各機器を制御できるようになっている。
【００２０】
一方、前記第２カート１２には、被制御装置である内視鏡用カメラ装置２３、光源装置２４、画像処理装置２５、表示装置２６及び第２の表示パネル２７とが載置されている。
【００２１】
内視鏡用カメラ装置２３は、前記内視鏡カメラ装置１５と同様に患者のＩＤデータを入力し記録可能なＩＤ入力手段を有しており、図示はしないがキーボードにより前記ＩＤデータが入力されるようになっている。内視鏡用カメラ装置２３は、カメラケーブル３２ａを介して第２の内視鏡３２に接続される。光源装置２４はライトガイドケーブル３２ｂを介して第２の内視鏡３２に接続される。
【００２２】
表示装置２６は、内視鏡用カメラ装置２３で捉えた内視鏡画像等を表示する。第２の表示パネル２７は、手術中のあらゆるデータを選択的に表示させることが可能になっている。
【００２３】
これら内視鏡用カメラ装置２３と光源装置２４と画像処理装置２５とは、第２カート１２に載置された中継ユニット２８に図示しない通信線を介して接続されている。そして、この中継ユニット２８は、中継ケーブル２９によって、前記第１カート１１に搭載されているシステムコントローラ２２に接続されている。
【００２４】
したがって、システムコントローラ２２は、これらの第２カート１２に搭載されている内視鏡用カメラ装置２３、光源装置２４及び画像処理装置２５と、第１カート１１に搭載されている電気メス装置１３、気腹装置１４、カメラ装置１５、光源装置１６及びＶＴＲ１７とを集中制御するようになっている。
【００２５】
このため、システムコントローラ２２とこれらの装置との間で通信が行われている場合、システムコントローラ２２は、前記操作パネル２１の液晶ディスプレイ上に、接続されている装置の設定状態や操作スイッチ等の設定画面を表示できるようになっている。
【００２６】
さらに、システムコントローラ２２は、所望の操作スイッチが触れられて所定領域のタッチセンサが操作されることによって設定値の変更等の操作入力が行えるようになっている。
【００２７】
リモートコントローラ３０は、滅菌域にいる執刀医等が操作する第２集中操作装置であり、通信が成立している他の装置を、システムコントローラ２２を介して操作することができるようになっている。
【００２８】
前記内視鏡システム３は、上述したように手術室２に配置されて用いられているが、手術室２には、後述するようにルームライトやルームカメラ、表示装置（ＬＣＤ，ＰＤＰ）、ＣＤ（Ｒ），ＤＶＤやＶＴＲ、超音波画像等の参照画像格納サーバ等の視聴覚機器であるＡＶ機器が配置されている。
【００２９】
これらＡＶ機器は、ＡＶコントローラ１２０（図２参照）に接続されて制御されるようになっている。  
前記システムコントローラ２２は、このＡＶコントローラ１２０に接続ケーブル９（図２に示す接続ケーブル１２２に相当）によって接続されてこのＡＶコントローラ１２０と通信可能になっている。なお、システムコントローラ２２とＡＶコントローラ１２０とは、前記接続ケーブル９に限らず、院内のネットワーク回線やインターネット回線を用いて接続するように構成しても良い。
【００３０】
次に、内視鏡システム３とこれに接続されるＡＶ機器システムとの接続構成及び内部構成について図２を参照しながら説明する。  
図２に示すように、手術システムは、内視鏡システム３とＡＶ機器システム１１０とを有している。  
内視鏡システム３は、前記第１，第２の内視鏡３１，３２としての内視鏡１００と、この内視鏡１００とは異なる他の医療機器群１０１である例えば図１で説明した電気メス装置１３、気腹装置１４、内視鏡用カメラ装置１５、光源装置１６等や、ルームカメラ（図示せず）、画像ファイリング装置１０４、ビデオプリンタ１０５，格納サーバ１０６等が前記システムコントローラ２２に接続されている。
【００３１】
なお、図示はしないがルームカメラは、手術室内全般、例えば手術模様をモニタリングするカメラであり、撮像された撮像信号がシステムコントローラ２２に入力することにより記録あるいは表示可能である。
【００３２】
画像ファイリング装置１０４は、患者の内視鏡画像等の画像ファイルを格納している。また、画像ファイリング装置１０４は、前記内視鏡用カメラ装置１５と同様に、患者のＩＤデータを入力し記録可能なＩＤ入力手段を有しており、図示はしないがキーボードにより前記ＩＤデータが入力されるようになっている。この画像ファイリング装置１０４は、システムコントローラ２２よる制御によって、格納されている画像ファイルの読み出し、あるいは書き込みが可能である。なお、この画像ファイリング装置１０４は、後述するＡＶコントローラ１２０を介して管理コンピュータ１１８に接続して配置しても良い。
【００３３】
ビデオプリンタ１０５は、内視鏡画像、あるいはその他の情報を、システムコントローラ２２による制御によってプリントアウトする。また、このビデオプリンタ１０５は、前記内視鏡用カメラ装置１５と同様に、患者のＩＤデータを入力し記録可能なＩＤ入力手段を有しており、図示はしないがキーボードにより前記ＩＤデータが入力されるようになっている。
【００３４】
格納サーバ１０６は、システムコントローラ２２による制御によって、院内の他の手術室やカンファレンス室に対して画像ファイル等のデータの通信を行ったり、取得した画像ファイル等のデータを格納する。
【００３５】
また、上述したように前記システムコントローラ２２は、前記表示パネル２０及び操作パネル２１が接続されて前記内視鏡１００や他の医療機器群１０１及びルームカメラ（図示せず）、画像ファイリング装置１０４、ビデオプリンタ１０５、格納サーバ１０６等を集中制御するようになっている。これら内視鏡１００や他の医療機器群１０１及びルームカメラ、画像ファイリング装置１０４、ビデオプリンタ１０５、格納サーバ１０６等は、上述したように前記リモートコントローラ３０又は前記マイク３３からの術者の操作により制御されるようになっている。
【００３６】
また、前記内視鏡１００は、操作部にリモートスイッチ１０３ａ〜１０３ｄが設けられている。これらリモートスイッチ１０３ａ〜１０３ｄを操作することにより、スイッチ信号が内視鏡用カメラ装置１５を介して前記システムコントローラ２２に入力されて、例えば、前記内視鏡用カメラ装置１５を遠隔操作可能となっている。前記リモートスイッチ１０３ａ〜１０３ｄは、制御コマンドを割り付ける設定操作により、所望の医療機器に対して所望の動作を指示制御することができるようになっている。
【００３７】
また、手術室２には、ＡＶ機器システム１１０が配置されている。このＡＶ機器システム１１０は、ＬＣＤ，ＰＤＰ等の表示装置１１１、ルームライト１１２やルームカメラ１１３、シーリングカメラ１１４、参照画像格納サーバ１１５、ＤＶＤやＣＤ（Ｒ）やプリンタ等の周辺機器１１６、テレ会議システム１１７、管理コンピュータ１１８等を有している。
【００３８】
参照画像サーバ１１５は、過去の患者の画像ファイルをＩＤデータともに格納している。この参照画像サーバ１１５は、患者のＩＤデータを入力し記録可能なＩＤ入力手段（第２のＩＤ入力手段）を有しており、図示はしないがキーボードにより前記ＩＤデータの入力が可能である。
【００３９】
管理コンピューター１１８は、患者の初診時、あるいは通院時毎の患者の詳細なデータ（例えば氏名、生年月日、通院履歴等）をＩＤとともに格納したり、患者に手術予定がある場合にはこの患者のＩＤデータ等の詳細なデータとともにスケジュールデータを格納している。この管理コンピュータ１１８は、患者のＩＤデータを入力し記録可能なＩＤ入力手段（第２のＩＤ入力手段）を有しており、ＩＤ入力手段であるキーボード１１８ａにより前記ＩＤデータの入力が可能である。
【００４０】
これらＡＶ機器１１１〜１１８は、ＡＶコントローラ１２０に接続されて制御されるようになっている。このＡＶコントローラ１２０には、タッチパネル１２１が接続されている。このタッチパネル１２１の操作により、ＡＶコントローラ１２０は、ＡＶ機器１１１〜１１８のうち、所望の機器を設定制御するようになっている。
【００４１】
前記ＡＶコントローラ１２０は、前記システムコントローラ２２と通信ケーブル１２２（図１では通信ケーブル９に相当）により接続されてこのシステムコントローラ２２と通信可能である。  
本実施例では、このＡＶコントローラ１２０とシステムコントローラ２２との通信により、ＡＶ機器１１１〜１１８のうち、所望の機器の自動設定が行われるようになっており、システムコントローラ２２を介してＡＶコントローラ１２０からＡＶ機器１１１〜１１８を操作できるようになっている。
【００４２】
例えば、前記ＡＶコントローラ１２０は、接続されているＡＶ機器、制御コマンド、設定値等のＡＶ側リストデータを記憶保持しているＡＶ側メモリ（図示せず）を備えている。一方、前記システムコントローラ２２は、例えば、術者の名前や手技等をキーワードとしたＡＶ機器の制御コマンド、設定値等のシステム側リストデータを記憶保持しているシステム側メモリ（図示せず）を備えている。
【００４３】
前記システムコントローラ２２は、入力されるキーワードに従って前記システム側メモリからシステム側リストデータを読み出し、前記ＡＶコントローラ１２０に送信するようになっている。  
前記ＡＶコントローラ１２０は、前記システムコントローラ２２からのシステム側リストデータに基づき、前記ＡＶ側メモリから読み出したＡＶ側リストデータと照合する。リストデータを照合したＡＶコントローラ１２０は、接続されているＡＶ機器に対して機器を選択し、この選択した機器に対して所望の制御コマンド、設定値を設定するようになっている。これにより、内視鏡システム３は、所望のＡＶ機器を自動設定できるようになっている。
【００４４】
また、ＡＶ機器が自動設定された後、前記内視鏡１００のリモートスイッチ１０３ａ〜１０３ｄは、上述した他の医療機器群１０１を割り付け設定したのと同様に前記ＡＶ機器１１１〜１１８のうち、所望のＡＶ機器の所望の制御コマンドを割り付け可能である。  
ＡＶコントローラ１２０は、前記タッチパネル１２１の操作により前記内視鏡１００のリモートスイッチ１０３ａ〜１０３ｄに対して所望のＡＶ機器の、例えば、ルームライト１１２のオンオフ、減光等の制御コマンド等を割り付ける。
【００４５】
このことにより、内視鏡システム３は、リモートスイッチ１０３ａ〜１０３ｄの操作によって、このスイッチ信号が前記システムコントローラ２２を介して前記ＡＶコントローラ１２０に送信されることで、割り付けられた制御コマンドを実行するようになっている。
【００４６】
本実施例の手術システムは、前記したように複数の、ＩＤデータ入力手段を有する医療機器及びＡＶ機器を有している。  
ＩＤデータ入力手段を有する医療機器及びＡＶ機器が複数あると、術者等はそれぞれの場面で対応する医療機器のＩＤ入力手段を用いてＩＤデータ等を入力しなければならない。しかしながら、本実施例の手術システムは、このような問題を解決するために、患者のＩＤデータの共有化を可能にしている。
【００４７】
そこで、本実施例のシステムコントローラ２２は、後述する制御を行うようになっている。本実施例のシステムコントローラによる制御例を図４を参照しながら説明する。
【００４８】
なお、ＡＶコントローラ１２０に接続される管理コンピュータ１１８には、予め患者の初診時、あるいは通院時毎に入力された患者のＩＤデータを含む詳細なデータ（例えば氏名、生年月日、通院履歴等）や、患者に手術予定がある場合に入力される患者のＩＤデータ等の詳細なデータを含むスケジュールデータが格納されているものとする。  
また、前記管理コンピュータ１１８に格納されている患者のスケジュールデータ及びこのスケジュールデータ内の患者のＩＤデータは、信頼度が高いものであり、他の接続機器のＩＤ入力手段により入力されたＩＤデータと比較する場合の基準となるＩＤデータとしている。  
いま、手術前に、内視鏡システム３及びＡＶ機器システム１１０の電源を投入したとする。すると、内視鏡システム３のシステムコントローラ２２は、図３に示すプログラムを図示しないメモリから読み出して実行する。
【００４９】
すなわち、システムコントローラ２２は、ステップＳ１の処理によって、ＩＤ入力手段を有する接続機器の内、いずれかの機器によって患者のＩＤデータが入力されたことを認識すると、続くステップＳ２の判断処理に移行する。
【００５０】
ステップＳ２の判断処理では、システムコントローラ２２は、ステップＳ１の処理にて入力された患者のＩＤデータ（図４中には患者ＩＤと示されている）がこの内視鏡システム３内のシステムコントローラ２２に登録されているか否かを判断する。
【００５１】
この場合、登録されてない場合と判断した場合には、処理を前記ステップＳ１に戻して患者のＩＤが入力されるまでこのステップＳ２の判断処理を繰り返す。一方、登録されていると判断した場合には、処理を続くステップＳ３に移行する。
【００５２】
システムコントローラ２２は、ステップＳ３の処理にて、ＡＶコントローラ１２０を介して管理コンピュータ１１８と通信を行い、この管理コンピュータ１１８に格納されている患者のＩＤデータを取得する。
【００５３】
そして、システムコントローラ２２は、続くステップＳ４の判断処理によって、前記ステップＳ１にて入力された患者のＩＤデータと、前記ステップＳ３にて管理コンピュータ１１８から取得した患者のＩＤデータとが一致するか否かを判断する。
【００５４】
この場合、システムコントローラ２２により認識した患者のＩＤデータが管理コンピュータ１１８からの患者のＩＤデータと一致してないと判断した場合には、システムコントローラ２２は、ステップＳ６の処理により警告、確認処理を行う。  
例えば、システムコントローラ２２は、“ＩＤが一致していません。ＩＤをご確認ください”等の警告表示や確認表示を、表示装置１９あるいは表示パネル２０の画面上にオンスクリーン表示させて、術者等に警告、確認させる。この場合、看護師等が手術前に例えば内視鏡用カメラ装置１５により入力するＩＤを誤って入力した場合が考えられるからである。
【００５５】
そして、術者等によって操作パネル２１等を用いてＩＤが不一致であることの確認操作がなされると、システムコントローラ２２は、前記ステップＳ１に処理を戻し、ＩＤ入力手段を有する機器、例えば内視鏡用カメラ装置１５に対してキーボード１５Ａによって手術する患者のＩＤを再入力させるように待機し、前記同様にステップＳ１以降の処理を実行させる。
【００５６】
一方、前記ステップＳ４の判断処理によって、前記ステップＳ１にて入力された患者のＩＤデータと、前記ステップＳ３にて管理コンピュータ１１８から取得した患者のＩＤデータとが一致したと判断した場合、システムコントローラ２２は、ステップＳ５に処理を移行する。
【００５７】
ステップＳ５の処理では、システムコントローラ２２は、まず、例えば“ＩＤが一致しています。ＡＶコントローラに送信してもよろしいですか？”等の確認表示を、表示装置１９あるいは表示パネル２０の画面上にオンスクリーン表示させて、術者等に送信処理を確認させる。
【００５８】
そして、術者等によって操作パネル２１等を用いてＩＤデータの送信処理実行の確認操作がなされると、システムコントローラ２２は、次に、このステップＳ５の処理にて、ＩＤ入力手段を有する機器を含むＡＶ機器を制御するＡＶコントローラ１２０と通信を行い、ステップＳ１により入力された患者のＩＤデータを送信する。
【００５９】
すると、ＡＶコントローラ１２０は、受信した患者のＩＤデータを信頼できるＩＤデータとして認識すると同時に、ＩＤ入力手段を有する機器、例えば、ＤＶＤやＣＤ、プリンタ等の周辺機器１１６に認識したＩＤデータを送信する。このことにより、患者のＩＤデータの共有化を図ることができる。
【００６０】
なお、前記制御例は、前記管理コンピュータ１１８に格納された患者のＩＤデータが最も信頼度の高いＩＤデータである場合に対応した制御例である。しかしながら、本実施例では、例えば、患者の取り違いを防止するために、患者の手足等に装着され、患者のＩＤデータを記憶したリストバンドによるＩＤデータを用いて、入力した患者のＩＤデータとの比較判断処理を行うようにしても良い。
【００６１】
この場合、前記リストバンドに記憶された患者のＩＤデータを読み出すための読み出し手段（例えばリストバンドリーダ）を手術システム３内に設ける必要がある。そして、前記リストバンドリーダにより読み出されたリストバンドからの患者のＩＤデータが最も信頼度の高いＩＤデータとなる。
【００６２】
したがって、システムコントローラ２２は、図４の変形例に示すように、ステップＳ１０の処理にて、管理コンピュータ１１８と通信して患者のＩＤデータを取得するのではなく、前記リストバンドに記憶している患者のＩＤデータを前記リストバンドリーダによって取得するように制御しても良い。そして、システムコントローラ２２は、続くステップＳ１１の判断処理にて、ステップＳ１で入力された患者のＩＤデータと、前記リストバンドからの患者のＩＤデータとが一致しているか否かを判断するように制御しても良い。
【００６３】
以上説明したように、本実施例によれば、一度の入力操作により患者のＩＤデータの共有化を図ることができる手術システムの実現が可能となる。また、患者のＩＤデータの共有化が図れることにより、ＡＶ機器システム１１０内のＤＶＤやＣＤ、プリンタなどの周辺機器１１６を使用する場合にも、容易に患者のＩＤデータを取得し、取得したＩＤデータを使用することが可能となる。
【００６４】
なお、本実施例では、前記管理コンピュータ１１８は、ＡＶコントローラ１２０に接続した場合について説明したが、これに限定されることはなく、例えば、前記システムコントローラ２２に接続するように構成しても良い。
【００６５】
また、本実施例では、手術前にＩＤ入力手段を有する機器のいずれかの機器によって入力されたＩＤと比較を行う管理コンピュータ１１８の患者のＩＤデータを最も信頼度の高いＩＤデータとして用いたが、これに限定されるものではなく、例えば前記したようにリストバンドからの患者のＩＤデータの他に、手術前に内視鏡用カメラ装置１５によって入力された患者のＩＤを、比較判断を行うための信頼度の高いＩＤデータとして用いるようにしても良い。
【実施例２】
【００６６】
図５及び図６は本発明の実施例２に係り、図５は実施例２の内視鏡システムとＡＶ機器システムとの概略的な接続関係を示すブロック図、図６はシステムコントローラによる制御例を示すフローチャートである。なお、図５は、前記実施例１と同様な構成要素については同一の符号を付して説明を省略し、異なる部分のみを説明する。
【００６７】
本実施例では、ＩＤ入力手段を有する機器の内、例えば、前記したように患者の手足等に装着されるリストバントを介して患者のＩＤデータを入力し、このＩＤデータに基づき、内視鏡システムにおけるＩＤデータの共有化を図るように構成している。
【００６８】
図５に示すように、本実施例の手術システムは、前記実施例１と略同様に構成されているが、内視鏡システム３のシステムコントローラ２２がＡＶコントローラ１２０の他に接続ケーブル１２２を介して管理コンピュータ１１８に直接接続している。また、手術システムは、ＩＤ入力手段を有する機器としてリストバンド１３０ａと、このリストバンド１３０ａから例えば無線によって発せられたＩＤデータを受信して取り込むリストバンドリーダ１３０とが設けられ、このリストバンドリーダ１３０がシステムコントローラ２２に接続されている。
【００６９】
なお、前記リストバンドリーダ１３０は、図５に示すように、手術室２及び病室に配置されるようになっている。
【００７０】
リストバンド１３０ａには、患者のＩＤデータの入力及び記憶可能で、このＩＤデータを無線通信で伝送可能とする例えば図示しないＲＦＩＤ（ Radio Frequency IDentification ）が設けられている。このリストバンド１３０ａは、患者の例えば腕や足等に装着される。  
例えば、手術前に患者が手術室２に入室した際、あるいは患者がベッド１０（図１参照）に横たわった際に、システムコントローラ２２に接続されるリストバンドリーダ１３０は、リストバンド１３０ａのＲＦＩＤから発せされたＩＤデータを受信する。このことにより、システムコントローラ２２は、リストバンド１３０ａからのＩＤデータを取得することが可能である。  
その他構成は、前記実施例１と同様である。
【００７１】
次に、本実施例のシステムコントローラによる制御例を図６を参照しながら説明する。  なお、予め、手術を行う患者のリストバンド１３０ａには患者のＩＤデータが記録されているものとする。
【００７２】
いま、手術前に、内視鏡システム３及びＡＶ機器システム１１０の電源を投入したとする。すると、内視鏡システム３のシステムコントローラ２２は、図６に示すプログラムを図示しないメモリから読み出して実行する。
【００７３】
そして、看護師等によって、手術する患者を手術室２内に移動したものとすると、システムコントローラ２２は、ステップＳ２１の処理によって、リストバンドリーダ１３０によりリストバンド１３０ａの図示しないＲＦＩＤから発せされたＩＤデータを受信して、このＩＤデータを取得する。
【００７４】
なお、前記ステップＳ２１の処理によるリストバンドリーダ１３０によるＩＤデータの読み出しは、予め病室にて行っても良い。この場合、システムコントローラ２２は、読み込んだＩＤデータを記憶することになる。
【００７５】
その後、システムコントローラ２２は、続くステップＳ２２の判断処理により、ＡＶコントローラ１２０を介して管理コンピュータ１１８と通信を行い、この管理コンピュータ１１８に格納されている患者のＩＤデータを取得し、この取得したＩＤデータと、前記ステップＳ２１にてリストバンドリーダ１３０により入力された患者のＩＤデータとが一致するか否かを判断する。
【００７６】
この場合、リストバンドリーダ１３０により入力した患者のＩＤデータが管理コンピュータ１１８からの患者のＩＤデータと一致してないと判断した場合には、システムコントローラ２２は、前記実施例１と同様にステップＳ２４の処理により警告、確認処理を行う。  例えば、システムコントローラ２２は、“ＩＤが一致していません。ＩＤをご確認ください”等の警告表示や確認表示を、表示装置１９あるいは表示パネル２０の画面上にオンスクリーン表示させて、術者等に警告、確認させる。
【００７７】
そして、術者等によって操作パネル２１等を用いてＩＤが不一致であることの確認操作がなされると、システムコントローラ２２は、前記ステップＳ２１に処理を戻し、ＩＤ入力手段を有する機器、つまり、本実施例ではリストバンドリーダ１３０によって手術する患者のリストバンド１３０ａからのＩＤデータを再入力させるように待機し、前記同様にステップＳ２１以降の処理を実行させる。
【００７８】
一方、前記ステップＳ２２の判断処理によって、リストバンドリーダ１３０により入力した患者のＩＤデータが管理コンピュータ１１８からの患者のＩＤデータと一致したと判断した場合には、システムコントローラ２２は、ステップＳ２３に処理を移行する。
【００７９】
ステップＳ２３の処理では、前記実施例１と同様にシステムコントローラ２２は、まず、例えば“ＩＤが一致しています。ＡＶコントローラに送信してもよろしいですか？”等の確認表示を、表示装置１９あるいは表示パネル２０の画面上にオンスクリーン表示させて、術者等に送信処理を確認させる。
【００８０】
そして、術者等によって操作パネル２１等を用いてＩＤデータの送信処理実行の確認操作がなされると、システムコントローラ２２は、次に、このステップＳ２３の処理にて、ＡＶコントローラ１２０と通信を行い、ステップＳ２１により入力された患者のＩＤデータを送信する。
【００８１】
すると、ＡＶコントローラ１２０は、受信した患者のＩＤデータを信頼できるＩＤデータとして認識すると同時に、ＩＤ入力手段を有する機器、例えば、ＤＶＤやＣＤ、プリンタ等の周辺機器１１６に認識したＩＤデータを送信する。このことにより、前記実施例１と同様に患者のＩＤデータの共有化を図ることができる。
【００８２】
なお、本実施例では、上記のように前記ステップＳ２１の処理にてリストバンドリーダ１３０を用いたてＩＤデータの読み出しが手術室２内で行われた場合には、図７の変形例に示すように、システムコントローラ２２は、ステップＳ３０の処理にて、前記ステップＳ２１の処理にてリストバンドリーダ１３０により入力した患者のＩＤデータが管理コンピュータ１１８からの患者のＩＤデータではなく、病室にてリストバンドリーダ１３０により読み込んだ患者のＩＤデータと一致しているか否かを判断するようにしても良い。
【００８３】
このことにより、確実に手術する患者のＩＤデータを用いることが可能となり、患者の取り違いも防止できるとともに、ＩＤの共有化を図ることができる。
【００８４】
したがって、本実施例によれば、前記実施例１と同様の効果が得られる他に、リストバンド１３０ａ及びリストバンドリーダ１３０を用いて患者のＩＤデータを取得するので、手術する患者の取り違いを防止できる。
【実施例３】
【００８５】
図８及び図９は本発明の実施例３に係り、図８は実施例３の内視鏡システムとＡＶ機器システムとの概略的な接続関係を示すブロック図、図９はシステムコントローラによる制御例を示すフローチャートである。なお、図８は、前記実施例１と同様な構成要素については同一の符号を付して説明を省略し、異なる部分のみを説明する。
【００８６】
本実施例の内視鏡システム３は、この内視鏡システム３内のＩＤ入力手段を有する機器によって患者のＩＤデータが入力されなかった場合に、自動的に管理コンピュータ１１８と通信を行ってＩＤデータを含む手術スケジュールデータを取得し、取得した手術スケジュールデータを一覧表示し且つ必要なデータを選択可能にすることにより、必要とするデータの共有化を図るように構成している。
【００８７】
図８に示すように、本実施例の内視鏡システム３及びＡＶ機器システム１１０の全体構成は、前記実施例１と同様であるが、前記システムコントローラ２２がＡＶコントローラ１２０の他に接続ケーブル１２２を介して管理コンピュータ１１８に直接接続している。  その他の構成は、前記実施例１と同様である。
【００８８】
次に、本実施例のシステムコントローラによる制御例を図９を参照しながら説明する。
【００８９】
いま、内視鏡システム３及びＡＶ機器システム１１０の電源の投入がなされると、内視鏡システム３のシステムコントローラ２２は、図９に示すプログラムを実行し、ステップＳ３１の判断処理を行う。
【００９０】
システムコントローラ２２は、ステップＳ３１の判断処理により、ＩＤ入力手段を有する機器から患者のＩＤデータの入力が無い場合に、例えば操作パネル２１を介して手術スケジュールデータの要求の操作の有無を判断する。この場合、システムコントローラ２２は、手術スケジュールデータの要求の操作があると判断した場合には、処理をステップＳ３２に移行し、逆に、操作がないと判断した場合には、処理をステップＳ３１に戻し、要求操作があるまでステップＳ３１及びステップＳ３２の処理を行う。
【００９１】
ステップＳ３２の処理では、システムコントローラ２２は、管理コンピュータ１１８に対し、手術スケジュールデータ要求コマンドを送信する。すると、管理コンピュータ１１８は、この手術スケジュールデータ要求コマンドを受信すると、これに応答して格納している手術スケジュールデータを内視鏡システム３側のシステムコントローラ２２へと送信するようになっている。
【００９２】
その後、システムコントローラ２２は、続くステップＳ３３の判断処理により、管理コンピュータ１１８から送信される手術スケジュールデータを受信したか否かを判断する。
【００９３】
この場合、手術スケジュールデータを受信したと判断した場合、システムコントローラ２２は、続くステップＳ３４により、受信した手術スケジュールデータを、表示装置１９あるいは表示パネル２０の画面上にオンスクリーン表示させる。
【００９４】
一方、前記ステップＳ３３の判断処理にて、手術スケジュールデータを受信してないと判断した場合、システムコントローラ２２は、受信されるまでこの判断処理を繰り返す。
【００９５】
術者等は、表示装置１９あるいは表示パネル２０の画面上に表示された手術スケジュールデータから、手術する患者にとって必要なデータ、例えばＩＤデータを選択する。
【００９６】
システムコントローラ２２は、続くステップＳ３５にの判断処理によって、術者等によって必要なデータが選択されていたか否かを判断し、選択された場合には処理を酢鉄鎖プローブ３６に移行し、選択されて無い場合にはデータが選択されるまでこの判断処理を繰り返す。
【００９７】
そして、システムコントローラ２２は、ステップＳ３６の処理によって、術者等によって選択されたデータ（例えばＩＤデータ）を、入力されたＩＤデータとしてこのシステムコントローラ２２内のメモリ（図示せず）に登録し、そして、例えば“ＩＤデータが登録されました。ＡＶコントローラに送信してもよろしいですか？”等の確認表示を、表示装置１９あるいは表示パネル２０の画面上にオンスクリーン表示させて、術者等に送信処理を確認させる。
【００９８】
そして、術者等によって操作パネル２１等を用いてＩＤデータの送信処理実行の確認操作がなされると、システムコントローラ２２は、ＡＶコントローラ１２０と通信を行い、登録されたＩＤデータを送信する。
【００９９】
すると、ＡＶコントローラ１２０は、前記実施例１と同様に受信した患者のＩＤデータを信頼できるＩＤデータとして認識すると同時に、ＩＤ入力手段を有する機器、例えば、ＤＶＤやＣＤ、プリンタ等の周辺機器１１６に認識したＩＤデータを送信する。このことにより、患者のＩＤデータの共有化を図ることができる。
【０１００】
したがって、本実施例によれば、前記実施例１と同様の効果が得られる他に、内視鏡システム３内のＩＤ入力手段を有する機器によって患者のＩＤデータが入力されなかった場合でも、管理コンピュータ１１８と通信を行ってＩＤデータを含む手術スケジュールデータを取得して必要なＩＤデータをＡＶコントローラ１２０に送信することにより、この選択したＩＤデータの共有化を図ることが可能となる。
【０１０１】
なお、本発明は、前記した実施例１〜実施例３及び変形例に限定されるものではなく、発明の要旨を逸脱しない範囲で種々変形実施可能である。
【図面の簡単な説明】
【０１０２】
【図１】本発明の実施例１に係る手術システムの全体構成図。
【図２】内視鏡システムとＡＶ機器システムとの接続関係を示すブロック図。
【図３】システムコントローラによる制御例を示すフローチャート。
【図４】図３のシステムコントローラによる制御例の変形例を示すフローチャート
【図５】本発明の実施例２に係る内視鏡システムとＡＶ機器システムとの概略的な接続関係を示すブロック図。
【図６】システムコントローラによる制御例を示すフローチャート。
【図７】図６のシステムコントローラによる制御例の変形例を示すフローチャート。
【図８】本発明の実施例３に係る内視鏡システムとＡＶ機器システムとの概略的な接続関係を示すブロック図。
【図９】システムコントローラによる制御例を示すフローチャート。
【符号の説明】
【０１０３】
２…手術室、
３…内視鏡システム、
１５…内視鏡用カメラ装置、
２０…集中表示パネル、
２１…操作パネル、
２２…システムコントローラ、
３０…リモートコントローラ、
１００…内視鏡、
１０１…他の医療機器群、
１０３（１０３ａ〜１０３ｄ）…リモートスイッチ、
１０４…画像ファイリング装置、
１１０…ＡＶ機器システム、
１１８…管理コンピュータ、
１２０…ＡＶコントローラ、
１２１…タッチパネル、
１２２…通信ケーブル、
１３０…リストバンドリーダ、
１３０ａ…リストバンド。  
【図１】
2007068561.tif 000003
【図２】
2007068561.tif 000004
【図３】
2007068561.tif 000005
【図４】
2007068561.tif 000006
【図５】
2007068561.tif 000007
【図６】
2007068561.tif 000008
【図７】
2007068561.tif 000009
【図８】
2007068561.tif 000010
【図９】
2007068561.tif 000011